(57)【要約】【課題】多数の景品を配置することができると共に、簡易な構成で景品の脱着を行う。【解決手段】景品収納部１０内に設けられ、景品収納部１０内を移動自在に吊り下げ支持された支持部１２ｄ及びこの支持部１２ｄの端部に取り付けられた吸盤１２ａを有し、この吸盤１２ａにより景品Ａを吸着する景品吸着部１２ｈと、一方の先端が吸盤１２ａの端部に取り付けられ、他方の先端が支持部１２ｄに取り付けられた紐状部材１２ｃと、吸盤１２ａに吸着された景品Ａを脱離するように、紐状部材１２ｃに張力を付加する棒状部材１２ｅとを備える。【選択図】図１
2012115427.tif 000002
【特許請求の範囲】
【請求項１】
遊技者の操作に基づいて、景品収納部に配置された景品を景品排出口から前記景品収納部外へ排出する景品獲得装置であって、
前記景品収納部内に設けられ、前記景品収納部内を移動自在に吊り下げ支持された支持部及びこの支持部の端部に取り付けられた吸盤を有し、この吸盤により前記景品を吸着する景品吸着手段と、
一方の先端が前記吸盤の端部に取り付けられ、他方の先端が前記支持部に取り付けられた紐状部材と、
前記吸盤に吸着された景品を脱離するように、前記紐状部材に張力を付加する張力付加手段と、
を備えることを特徴とする景品獲得装置。
【請求項２】
前記張力付加手段は、
前記紐状部材に張力を付加するように、前記紐状部材を押引する
ことを特徴とする請求項１記載の景品獲得装置。
【請求項３】
前記支持部は、
中空の外筒と、前記外筒の内側に嵌合されて前記外筒を貫く軸に対して略平行に移動自在に配置された内筒とを有し、
前記吸盤は、
前記内筒の端部に取り付けられ、
前記紐状部材は、
一方の先端が前記吸盤の端部に取り付けられ、他方の先端が前記外筒に取り付けられ、
前記張力付加手段は、
前記紐状部材に張力を付加するように、前記内筒を前記外筒から引き抜く方向へ移動させる
ことを特徴とする請求項１記載の景品獲得装置。
【請求項４】
前記支持部は、
中空の外筒と、前記外筒の内側に嵌合されて前記外筒を貫く軸に対して略平行に移動自在に配置された内筒と、前記内筒の端部に前記軸に対して略直角に回転自在に取り付けられた回転部と、を有し、
前記吸盤は、前記回転部の外周側に前記吸盤が複数取り付けられ、
前記張力付加手段は、
前記外筒に取り付けられ、前記回転部が回転することにより、前記紐状部材に張力を付加するように、前記紐状部材を押圧する
ことを特徴とする請求項１又は２記載の景品獲得装置。
【請求項５】
前記景品の上部に取り付けられ、前記吸盤の吸着面積より広いリング状部材、
を更に備えた請求項１〜４のいずれか１項記載の景品獲得装置。
【発明の詳細な説明】
【技術分野】
【０００１】
本発明は、遊技者の操作に基づいて、遊技空間内に配置された景品を景品排出口から排出する景品獲得装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより獲得しようとする景品に対してクレーン駆動機構を動作させて景品把持部が目標とする景品の真上に到着したと思われるとき操作釦の操作を停止させる。
【０００５】
その後、景品把持部は自動的に降下し、ケース底部に到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、特許文献２には、垂下部材の下端部に設けられた半球状の吸盤と、この吸盤に被取得物品を吸着可能な状態とする吸気ポンプと、吸盤に吸着された被取得物品の吸着状態を変動させる変動付与装置を備える遊戯装置が提案されている。
【０００８】
さらに、特許文献３には、吸盤の中央柱状部分上部の、又は吸盤によって固定された被固定部材の、平行移動又は傾斜変位によって吸盤の中央柱状部分を傾斜させることにより、中央柱状部分に取り付けられた変位伝達部材を傾かせ、変位伝達部材の先端部と吸盤端部に設けられた突起との連結点を引き上げて、吸盤内部の減圧状態を解放し吸盤を離脱させる吸盤の脱離方法が提案されている。
【先行技術文献】
【特許文献】
【０００９】
【特許文献１】特開２０００−８４２３６号公報
【特許文献２】特許第３９３９９９９号公報
【特許文献３】実開平９−２１００４２号公報
【発明の概要】
【発明が解決しようとする課題】
【００１０】
しかしながら、特許文献１に記載のクレーン遊技装置では、景品把持部により景品を把持させるので、景品把持部のアームが景品を把持できるように、隣り合う景品同士にある程度の間隔を設ける必要があったので、景品収納部に多数の景品を配置することが困難であった。
【００１１】
また、特許文献２に記載の遊戯装置では、吸盤に被取得物品を吸着可能な状態とする吸気ポンプと、吸盤に吸着された被取得物品の吸着状態を変動させる変動付与装置を備えるので、景品を脱着するための構造が複雑であり、製造コストが増大するという問題があった。
【００１２】
さらに、特許文献３に記載の吸盤の脱離方法では、変位伝達部材を備え、この変位伝達部材を傾かせ、変位伝達部材の先端部と吸盤端部に設けられた突起との連結点を引き上げて、吸盤内部の減圧状態を解放し吸盤を離脱させるので、特許文献３に記載の吸盤の脱離方法を特許文献２に記載の遊戯装置に適用したとしても、特許文献２に記載の遊戯装置と同様に、構造が複雑になり、製造コストが増大するという問題があった。
【００１３】
本発明は、上記課題に鑑みてなされたものであり、多数の景品を配置することができると共に、簡易な構成で景品の脱着を行うことができる景品獲得装置を提供することを目的とする。
【課題を解決するための手段】
【００１４】
上記目的を達成するため、本発明に係る景品獲得装置の第１の特徴は、遊技者の操作に基づいて、景品収納部に配置された景品を、景品排出口から前記景品収納部外へ排出する景品獲得装置であって、前記景品収納部内に設けられ、前記景品収納部内を移動自在に吊り下げ支持された支持部及びこの支持部の端部に取り付けられた吸盤を有し、この吸盤により前記景品を吸着する景品吸着手段と、一方の先端が前記吸盤の端部に取り付けられ、他方の先端が前記支持部に取り付けられた紐状部材と、前記吸盤に吸着された景品を脱離するように、前記紐状部材に張力を付加する張力付加手段と、を備えることにある。
【００１５】
上記目的を達成するため、本発明に係る景品獲得装置の第２の特徴は、前記張力付加手段は、前記紐状部材に張力を付加するように、前記紐状部材を押圧又は寄引することにある。
【００１６】
上記目的を達成するため、本発明に係る景品獲得装置の第３の特徴は、前記支持部は、中空の外筒と、前記外筒の内側に嵌合されて前記外筒を貫く軸に対して略平行に移動自在に配置された内筒とを有し、前記吸盤は、前記内筒の端部に取り付けられ、前記紐状部材は、一方の先端が前記吸盤の端部に取り付けられ、他方の先端が前記外筒に取り付けられ、前記張力付加手段は、前記紐状部材に張力を付加するように、前記内筒を前記外筒から引き抜く方向へ移動させることにある。
【００１７】
上記目的を達成するため、本発明に係る景品獲得装置の第４の特徴は、前記支持部は、中空の外筒と、前記外筒の内側に嵌合されて前記外筒を貫く軸に対して略平行に移動自在に配置された内筒と、前記内筒の端部に前記軸に対して略直角に回転自在に取り付けられた回転部と、を有し、前記吸盤は、前記回転部の外周側に前記吸盤が複数取り付けられ、前記張力付加手段は、前記外筒に取り付けられ、前記回転部が回転することにより、前記紐状部材に張力を付加するように、前記紐状部材を押圧することにある。
【００１８】
上記目的を達成するため、本発明に係る景品獲得装置の第５の特徴は、前記景品の上部に取り付けられ、前記吸盤の吸着面積より広いリング状部材、を更に備えたことにある。
【発明の効果】
【００１９】
本発明に係る景品獲得装置によれば、多数の景品を配置することができると共に、簡易な構成で景品の脱着を行うことができる。
【図面の簡単な説明】
【００２０】
【図１】本発明の実施例１である景品獲得装置の斜視図である。
【図２】本発明の実施例１である景品獲得装置のフロア部上に景品が配置された状態を示した図である。
【図３】本発明の実施例１である景品獲得装置が備える景品獲得部による景品の脱着を説明した図であり、（ａ）は、本発明の実施例１である景品獲得装置が備えるアームの待機状態を示した図であり、（ｂ）は、本発明の実施例１である景品獲得装置が備える景品獲得部が備えるアームが可動することにより、棒状部材が紐状部材を横方向から押圧した状態を示しており、（ｃ）は、（ａ）におけるＡ−Ａ断面から見た棒状部材を示した図である。
【図４】本発明の実施例２である景品獲得装置が備える景品獲得部の斜視図である。
【図５】本発明の実施例２である景品獲得装置が備える景品獲得部の断面図である。
【図６】本発明の実施例２である景品獲得装置が備える景品獲得部の変形例の斜視図である。
【図７】本発明の実施例３である景品獲得装置が備える景品獲得部による景品の脱着を説明した図である。
【図８】本発明の実施例３である景品獲得装置が備える景品獲得部の断面図である。
【図９】本発明の実施例４である景品獲得装置が備える景品獲得部による景品の脱着を説明した図である。
【発明を実施するための形態】
【００２１】
以下、本発明を実施するための形態について図面を参照して説明する。
【実施例１】
【００２２】
本発明の実施例１では、遊技者の操作に基づいて、景品収納部に配置された景品を、景品排出口から景品収納部外へ排出する景品獲得装置を例に挙げて説明する。
【００２３】
図１は、本発明の実施例１である景品獲得装置の斜視図である。
【００２４】
図１に示すように、景品獲得装置１は、三方を透明板で囲まれた景品収納部１０と、この景品収納部１０内に設けられた景品獲得部１２，１３と、この景品獲得部１２，１３を景品収納部１０内で所望位置に移動させるクレーン機構１４と、景品収納部１０内の底面に備えられたフロア部１８とを備えている。
【００２５】
このフロア部１８は、フロアパネルの組み替え式が採用されており、このフロアパネルを組み替えることで、任意の場所に景品排出口１８ａ，１８ｂを備えるようにすることができ、この景品排出口１８ａ，１８ｂ以外のフロア部１８上に景品を配置することができる。ここで、フロア部１８上に配置される景品は、景品獲得部１２，１３が吸着できる程度の大きさ及び形状に成型された景品箱に、例えば菓子等が内包されたものである。
【００２６】
景品収納部１０の下方には、景品獲得装置１内部の景品排出口１８ａ，１８ｂからそれぞれ連通する景品受取口１９ａ，１９ｂと、操作釦やコイン投入口等を有する操作部２０とが設けられている。
【００２７】
クレーン機構１４は、景品獲得部１２，１３を吊り下げ支持するとともに前後、左右、及び上下の３方向に移動させる。
【００２８】
景品獲得部１２，１３は、それぞれ吸盤１２ａ，１３ａを有しており、クレーン機構１４の駆動により景品収納部１０内を移動して、この吸盤１２ａ，１３ａを景品に接触させることにより、景品を吸着する。
【００２９】
なお、景品獲得装置１は、図１に示すように、正面に向かって左右対称の構成を有しているので、以下、景品獲得装置１の左側部分について説明する。
【００３０】
景品獲得装置１において、遊技者は、操作部２０の操作釦を操作することにより獲得しようとする景品に対してクレーン機構１４を動作させて景品獲得部１２が目標とする景品の真上に到着したと思われるとき操作釦の操作を停止させる。
【００３１】
その後、景品獲得部１２は自動的に降下し、この景品獲得部１２がフロア部１８に配置された景品に接触すると、景品獲得部１２の先端に取り付けられた吸盤１２ａが景品を吸着する。このように、景品Ａは、ポンプ等で吸引することなく、吸盤１２ａの吸着力で吸着される。
【００３２】
そして、景品獲得部１２は景品を吸着したまま上昇して景品排出口１８ａの上方に移動した後、景品を景品排出口１８ａへ落下させ、落下された景品は、この景品排出口１８ａに連通された景品受取口１９ａから払い出される。
【００３３】
このように、本発明の実施例１である景品獲得装置１は、景品を把持することなく、吸着するので、遊技者にとって、景品獲得ゲームの結果の納得性が高い。
【００３４】
例えば、景品を把持することにより景品を獲得する景品獲得装置の場合、景品を把持する景品把持部の把持力は調整可能であり、この調整された把持力の強度によって景品獲得ゲームの難易度は変動する。ところが、遊技者は、景品把持部がどの程度の把持力に調整されているのか不明であるので、景品獲得ゲームの結果の納得性が低いと言える。一方、本発明の実施例１である景品獲得装置１は、景品獲得部１２により景品を吸着することにより景品を獲得するので、景品獲得ゲームの遊技者からの見た目の難易度と、実際の難易度とに差異がなく、遊技者にとって景品獲得ゲームの結果の納得性が高いということが言える。
【００３５】
図２は、本発明の実施例１である景品獲得装置１のフロア部１８上に景品が配置された状態を示した図である。
【００３６】
図２に示すように、フロア部１８上には、様々な大きさの立方体又は直方体の形状を有する景品Ａが隙間なく配置されている。そして、この景品Ａの上部には、少なくとも１つのリング状部材２１が設けられている。リング状部材２１は、リング形状を有し、リングの開口面積によって複数種類あるが、いずれの開口面積も吸盤１２ａの吸着面積より広くなるように、構成されている。
【００３７】
これにより、開口面積の広いリング状部材２１が取り付けられた景品Ａを獲得する際は、クレーン機構１４を動作させて景品獲得部１２を停止させる左右前後方向の位置が多少ずれたとしても、吸盤１２ａがリング状部材２１内に入るので、景品を吸着することができる。一方、開口面積の狭いリング状部材２１が取り付けられた景品Ａを獲得する際は、クレーン機構１４を動作させて景品獲得部１２を停止させる左右前後方向の位置がずれると、吸盤１２ａがリング状部材２１からはみ出すので、吸盤１２ａと景品の間に空気が入り、景品を吸着することができない。
【００３８】
このように、リング状部材２１の開口面積が広い程、景品の獲得が容易になり、逆に、リング状部材２１の開口面積が狭い程、景品の獲得が困難になる。そのため、様々な開口面積のリング状部材２１を景品Ａの上部に取り付けることにより、景品獲得ゲームの難易度調整を行うことができる。
【００３９】
次に、本発明の実施例１である景品獲得装置１の作用について説明する。
【００４０】
図３は、本発明の実施例１である景品獲得装置１が備える景品獲得部１２による景品の吸着及び脱離を説明した図である。
【００４１】
図３（ａ）に示すように、景品獲得部１２は、キャッチャー１２ｇと、このキャッチャー１２ｇに可動自在に支持されたアーム１２ｆと、このアーム１２ｆの先端に取り付けられた棒状部材１２ｅと、キャッチャー１２ｇに固定された支持棒１２ｂと、この支持棒１２ｂの先端に取り付けられた吸盤１２ａと、一方の先端が吸盤１２ａの端部に取り付けられ、他方の先端がキャッチャー１２ｇに取り付けられた紐状部材１２ｃとを備えている。なお、キャッチャー１２ｇと、支持棒１２ｂとで支持部１２ｄを構成し、支持部１２ｄと吸盤１２ａとで景品吸着部１２ｈを構成する。
【００４２】
また、図３（ｃ）に示すように、棒状部材１２ｅの先端は、紐状部材１２ｃを押圧できるように先端がＴ型に成型されている。
【００４３】
景品獲得装置１において、遊技者は、操作部２０の操作釦を操作することによりクレーン機構１４を動作させて、景品獲得部１２が目標とする景品Ａの真上に到着したと思われるとき操作釦の操作を停止させる。
【００４４】
その後、景品獲得部１２が降下して、この景品獲得部１２がフロア部１８に配置された景品Ａに接触すると、景品獲得部１２の先端に取り付けられた吸盤１２ａが景品Ａを吸着する。
【００４５】
そして、景品獲得部１２は景品を吸着したまま上昇して景品排出口１８ａの上方に移動する。
【００４６】
次に、景品獲得部１２が景品排出口１８ａの上方に移動すると、図２（ｂ）に示すように、アーム１２ｆがＦ方向に移動する。アーム１２ｆがＦ方向に移動すると、アーム１２ｆの先端に取り付けられた棒状部材１２ｅが、紐状部材１２ｃを横方向から押圧する。これにより、紐状部材１２ｃに張力が加わり、紐状部材１２ｃが接続された吸盤１２ａの端部がＧ方向に引っ張られてめくれ上がる。
【００４７】
吸盤１２ａの端部がＧ方向に引っ張られてめくれ上がると、吸盤１２ａと景品Ａとの吸着部分に空気が入り、景品Ａは吸盤１２ａから脱離して景品排出口１８ａへ落下する。
【００４８】
このようにして、景品排出口１８ａに落とされた景品Ａは、この景品排出口１８ａに連通された景品受取口１９ａから払い出される。
【００４９】
以上のように、本発明の実施例１である景品獲得装置１によれば、景品を把持する必要がないので、フロア部１８上に景品を隙間なく配置することができるので、フロア部１８上に多数の景品を配置することができる。また、紐状部材１２ｃに張力を付加することにより、景品Ａを吸盤１２ａから脱離させるので、吸気ポンプ等の構成は必要なく、簡易な構成で景品の脱離することができる。
【００５０】
なお、本発明の実施例１では、景品Ａの上部に設けられた少なくとも１つのリング状部材２１を備える景品獲得装置１を例に挙げて説明したが、リング状部材２１を省略してもよい。この場合、景品Ａの上部の平面が吸盤１２ａの吸着面積より広ければよく、リング状部材２１を有していないことにより、景品獲得ゲームの難易度を最低（最も容易）にすることができる。
【実施例２】
【００５１】
本発明の実施例１では、アーム１２ｆがＦ方向に移動することにより、アーム１２ｆの先端に取り付けられた棒状部材１２ｅが、紐状部材１２ｃを横方向から押圧する景品獲得装置１を例に挙げて説明したが、これに限らない。
【００５２】
本発明の実施例２では、支持棒１２ｂに取り付けられた棒状部材により、紐状部材１２ｃを横方向から押圧する景品獲得装置２を例に挙げて説明する。
【００５３】
図４は、本発明の実施例２である景品獲得装置２が備える景品獲得部１２Ａの斜視図である。なお、本発明の実施例２である景品獲得装置２が備える構成のうち、本発明の実施例１である景品獲得装置１が備える構成と同一符号が付されたものについては、同一であるので、説明を省略する。
【００５４】
図４に示すように、景品獲得部１２Ａの支持棒１２ｂを覆うように、キャッチャー１２ｇに固定された外筒が備えられ、この外筒には、棒状部材１２ｊが取り付けられている。そして、景品獲得部１２Ａが景品排出口１８ａの上方に移動すると、支持棒１２ｂを図４に示すＨ方向へ旋回させる。
【００５５】
これにより、棒状部材１２ｊが紐状部材１２ｃを横方向から押圧し、紐状部材１２ｃに張力が加わることによって、紐状部材１２ｃが接続された吸盤１２ａの端部が引っ張られてめくれ上がる。
【００５６】
吸盤１２ａの端部が引っ張られてめくれ上がると、吸盤１２ａと景品Ａとの吸着部分に空気が入り、景品Ａは吸盤１２ａから脱離して景品排出口１８ａへ落下し、景品獲得となる。
【００５７】
図５は、本発明の実施例２である景品獲得装置２が備える景品獲得部１２Ａの断面図である。
【００５８】
図５に示すように、景品獲得部１２Ａは、モータ１５ａと、このモータ１５ａの駆動回転軸に固定されたギア１５ｂと、このギア１５ｂと係合され、回転軸が支持棒１２ｂと同一の回転軸Ｐとなるように、支持棒１２ｂに固定されたギア１５ｃとを備えている。
【００５９】
そして、モータ１５ａが駆動することにより、回転駆動がギア１５ｂ，１５ｃにより伝達され、支持棒１２ｂが図４に示すＨ方向へ旋回される。
【００６０】
なお、本発明の実施例２では、支持棒１２ｂをＨ方向へ旋回させることにより、紐状部材１２ｃを横方向から押圧する景品獲得装置２を例に挙げて説明したが、これに限らず支持棒１２ｂに取り付けられた棒状部材を前後方向に移動させるようにしてもよい。
【００６１】
例えば、図６に示すように、キャッチャー１２ｇに可動自在に支持されたアーム１２ｆと、接続部１５ｆを介して駆動が伝達され、支持棒１２ｂに設けられた貫通穴を貫通した状態でＪ１又はＪ２方向にスライド自在に支持されている棒状部材１２ｎとを備えている。また、棒状部材１２ｎの先端には、環状に成型された引寄部１２ｍが設けられており、紐状部材１２ｃは引寄部１２ｍを貫通している。
【００６２】
そして、キャッチャー１２ｇに可動自在に支持されたアーム１２ｆがＦ２方向に移動することにより、棒状部材１２ｎが図５に示すＪ２方向へ移動する。
【００６３】
これにより、棒状部材１２ｎの先端に設けられた引寄部１２ｍが、紐状部材１２ｃを引寄せ、紐状部材１２ｃに張力が加わることによって、紐状部材１２ｃが接続された吸盤１２ａの端部が引っ張られてめくれ上がる。
【００６４】
吸盤１２ａの端部が引っ張られてめくれ上がると、吸盤１２ａと景品Ａとの吸着部分に空気が入り、景品Ａは吸盤１２ａから脱離して景品排出口１８ａへ落下し、その後、アーム１２ｆがＦ１方向に移動することにより、棒状部材１２ｎが図６に示すＪ１方向へ移動する。
【００６５】
以上のように、本発明の実施例２である景品獲得装置２によれば、本発明の実施例１である景品獲得装置１と同様に、景品を把持する必要がないので、フロア部１８上に景品を隙間なく配置することができるので、フロア部１８上に多数の景品を配置することができる。また、紐状部材１２ｃに張力を付加することにより、景品Ａを吸盤１２ａから脱離させるので、吸気ポンプ等の構成は必要なく、簡易な構成で景品の脱離することができる。
【実施例３】
【００６６】
本発明の実施例２では、支持棒１２ｂに取り付けられた棒状部材を駆動することにより、紐状部材１２ｃを横方向から引寄せる景品獲得装置２を例に挙げて説明したがこれに限らない。
【００６７】
本発明の実施例３では、支持棒を伸張させることにより、紐状部材１２ｃに張力を与えて吸盤から景品を脱離する景品獲得装置を例に挙げて説明する。
【００６８】
図７は、本発明の実施例３である景品獲得装置３が備える景品獲得部１２Ｂによる景品の脱着を説明した図である。なお、本発明の実施例３である景品獲得装置３が備える構成のうち、本発明の実施例１である景品獲得装置１が備える構成と同一符号が付されたものについては、同一であるので、説明を省略する。
【００６９】
図７（ａ）に示すように、景品獲得部１２Ｂの支持棒１２ｒは、表面に固定された突起１２ｐを有する中空円筒形状の外筒１２ｓと、外筒１２ｓの内側に嵌合されて外筒１２ｓを貫く軸に対して略平行に移動自在に配置された内筒１２ｔとを備えている。
【００７０】
内筒１２ｔの端部には、吸盤１２ａが設けられ、この吸盤１２ａの端部には紐状部材１２ｃ一方の先端が取り付けられ、他方の先端が外筒１２ｓの突起１２ｐに取り付けられている。
【００７１】
そして、景品獲得部１２Ｂが景品排出口１８ａの上方に移動すると、図７（ｂ）に示すように、キャッチャー１２ｇ内部に備えられた駆動機構（張力付加手段）により、内筒１２ｔは、外筒１２ｓから引き抜く方向、即ち、図７（ｂ）に示したＫ方向へ移動させる。
【００７２】
これにより、紐状部材１２ｃに張力が加わることによって、紐状部材１２ｃが接続された吸盤１２ａの端部が引っ張られてめくれ上がる。
【００７３】
吸盤１２ａの端部が引っ張られてめくれ上がると、吸盤１２ａと景品Ａとの吸着部分に空気が入り、景品Ａは吸盤１２ａから脱離して景品排出口１８ａへ落下する。
【００７４】
図８は、本発明の実施例３である景品獲得装置３が備える景品獲得部１２Ｂの断面図である。
【００７５】
図８に示すように、景品獲得部１２Ｂは、モータ１５ｊと、このモータ１５ｊの駆動回転軸に固定されたギア１５ｋと、内筒１２ｔに沿って取り付けられた直線状の歯を有し、ギア１５ｋと係合されるラックギア１５ｍとを備えている。
【００７６】
そして、モータ１５ｊが駆動することにより、駆動がギア１５ｊ、ラックギア１５ｋにより伝達され、内筒１２ｔがＫ方向へ伸張する。
【００７７】
以上のように、本発明の実施例３である景品獲得装置３によれば、本発明の実施例１である景品獲得装置１と同様に、景品を把持する必要がないので、フロア部１８上に景品を隙間なく配置することができるので、フロア部１８上に多数の景品を配置することができる。また、紐状部材１２ｃに張力を付加することにより、景品Ａを吸盤１２ａから脱離させるので、吸気ポンプ等の構成は必要なく、簡易な構成で景品の脱離することができる。
【実施例４】
【００７８】
本発明の実施例２では、支持棒１２ｂに取り付けられた棒状部材を駆動することにより、紐状部材１２ｃを横方向から押圧する景品獲得装置２を例に挙げて説明したがこれに限らない。
【００７９】
本発明の実施例４では、吸盤が取り付けられた回転部を回転させることにより、紐状部材１２ｃを横方向から押圧する景品獲得装置を例に挙げて説明する。
【００８０】
図９は、本発明の実施例４である景品獲得装置４が備える景品獲得部１２Ｃによる景品の脱着を説明した図である。なお、本発明の実施例４である景品獲得装置４が備える構成のうち、本発明の実施例１である景品獲得装置１が備える構成と同一符号が付されたものについては、同一であるので、説明を省略する。
【００８１】
図９（ａ）に示すように、景品獲得部１２Ｃの支持棒１２ｒは、表面に固定された突起部１２ｚを有する中空円筒形状の外筒１２ｓと、外筒１２ｓの内側に嵌合されて外筒１２ｓを貫く軸に対して略平行に移動自在に配置された内筒１２ｔとを備えている。
【００８２】
内筒１２ｔの先端には、外筒１２ｓを貫く軸に対して略直角に、軸Ｐを回転軸としてＪ方向に回転する回転部１２ｗが支持されている。
【００８３】
回転部１２ｗには、それぞれ大きさの異なる吸盤１２ａが外周側に向かって４つ設けられており、この４つの吸盤１２ａの端部には、それぞれ紐状部材１２ｃ一方の先端が取り付けられ、他方の先端が回転部１２ｗに取り付けられている。
【００８４】
遊技者による操作部２０の操作により、Ｊ方向に回転された回転部１２ｗを、遊技者所望のいずれか１つの吸盤１２ａが下方を向いた位置で停止すると、景品獲得部１２Ｃが降下し、この景品獲得部１２Ｃがフロア部１８に配置された景品Ａに接触すると、下方を向いている吸盤１２ａが景品Ａを吸着する。
【００８５】
そして、景品獲得部１２Ｃの回転部１２ｗは、景品Ａを吸着したままＪ方向へ回転しながらＫ方向へ上昇し、図９（ｂ）に示すように、景品Ａを吸着した吸盤Ａが上位位置に達すると、突起部１２ｚが紐状部材１２ｃに接触する。
【００８６】
これにより、突起部１２ｚが紐状部材１２ｃを横方向から押圧し、紐状部材１２ｃに張力が加わることによって、紐状部材１２ｃが接続された吸盤１２ａの端部が引っ張られてめくれ上がる。
【００８７】
吸盤１２ａの端部が引っ張られてめくれ上がると、吸盤１２ａと景品Ａとの吸着部分に空気が入り、景品Ａは吸盤１２ａから脱離して景品排出口１８ａへ落下する。
【００８８】
このようにして、景品排出口１８ａに落下された景品は、この景品排出口１８ａに連通された景品受取口１９ａから払い出される。
【００８９】
以上のように、本発明の実施例４である景品獲得装置４によれば、本発明の実施例１である景品獲得装置１と同様に、景品を把持する必要がないので、フロア部１８上に景品を隙間なく配置することができるので、フロア部１８上に多数の景品を配置することができる。また、本発明の実施例４である景品獲得装置４によれば、回転部１２ｗがＪ方向に回転し、紐状部材１２ｃに張力が加わることによって、景品Ａを吸盤１２ａから脱離させるので、吸気ポンプ等の構成は必要なく、簡易な構成で景品の脱離することができる。
【００９０】
さらに、本発明の実施例４である景品獲得装置４によれば、回転部１２ｗに設けられた大きさの異なる吸盤１２ａのうち、遊技者により選択された吸盤１２ａが、景品Ａを吸着するので、遊技者は、所望の吸盤１２ａを選択することができ、よりゲーム性が高くなる。
【００９１】
なお、本発明の実施例４では、回転部１２ｗに大きさの異なる４つの吸盤１２ａを備える景品獲得装置４を例に挙げて説明したが、吸盤１２ａの個数は４つに限らず、いくつでも良い。
【符号の説明】
【００９２】
１，２，３，４…景品獲得装置
１０…景品収納部
１１…景品獲得部
１２，１２Ａ，１２Ｂ，１２Ｃ，１３…景品獲得部
１２ａ，１３ａ…吸盤
１２ｂ…支持棒
１２ｃ…紐状部材
１２ｄ…支持部
１２ｅ…棒状部材（張力付加手段）
１２ｆ…アーム
１２ｇ…キャッチャー
１２ｈ…景品吸着部
１２ｊ…棒状部材（張力付加手段）
１２ｍ…引寄部（張力付加手段）
１２ｎ…棒状部材（張力付加手段）
１２ｐ…突起
１２ｒ…支持棒
１２ｓ…外筒
１２ｔ…内筒
１２ｗ…回転部
１２ｚ…突起部（張力付加手段）
１４…クレーン機構
１８…フロア部
１８ａ，１８ｂ…景品排出口
１９ａ，１９ｂ…景品受取口
２０…操作部
２１…リング状部材
【図１】
2012115427.tif 000003
【図２】
2012115427.tif 000004
【図３】
2012115427.tif 000005
【図４】
2012115427.tif 000006
【図５】
2012115427.tif 000007
【図６】
2012115427.tif 000008
【図７】
2012115427.tif 000009
【図８】
2012115427.tif 000010
【図９】
2012115427.tif 000011